(57)【要約】【課題】  パーフォレーションを検出するための信頼性の高い閾値の設定を簡単に行う。【解決手段】  フイルムの全コマ撮影が完了すると自動的にフイルムの巻き戻しが行われる。フイルムが全てパトローネに巻き戻されると、フォトセンサによってフイルム無し時の基準値となる受光レベルが検出される。この検出された基準値はＥＥＰＲＯＭに記憶される。基準値に基づいて閾値が設定され、ＥＥＰＲＯＭに記憶されている閾値がこの設定された閾値に更新される。カメラの装填室に新しいパトローネが装填されると、変更された閾値がパーフォレーション検出部に読み出されてフイルムの巻き取りの際にパーフォレーションの検出に使用される。【選択図】        図４
2005189312.tif 000002
【特許請求の範囲】
【請求項１】
フィルムのパーフォレーション通過部に光を投射する投光素子と、その反射光又は透過光を受光する受光素子と、パーフォレーションの有無の判断基準となる閾値を記憶する記憶手段とを備え、前記受光素子からの受光信号の変化と閾値の比較によってパーフォレーションの通過個数を検出するパーフォレーション検出装置において、
前記フイルムがパトローネに全て巻き戻された際に、前記投光素子及び受光素子上にフイルムが無い時の基準値として受光レベルの検出を行い、この検出された基準値に基づいて閾値を設定する設定手段と、前記記憶手段に記憶されている閾値を前記設定手段によって設定された閾値に更新する更新手段とを備え、新たにパトローネが装填された場合に、前記記憶手段から閾値を読み出してパーフォレーションの通過個数を検出することを特徴とするパーフォレーション検出装置。
【請求項２】
前記基準値が、予め設定された所定範囲に含まれるか否かを判定する判定手段を備え、この判定手段によって前記基準値が所定範囲に含まれないと判定された場合には、前記設定手段によって前記基準値に基づいて閾値を設定することを特徴とする請求項１記載のパーフォレーション検出装置。
【請求項３】
前記基準値が、予め設定された所定範囲に含まれるか否かを判定する判定手段を備え、前記判定手段によって前記基準値が前記所定範囲に含まれると判定された場合には、前記設定手段によって前記基準値に基づいて閾値を設定することを特徴とする請求項１記載のパーフォレーション検出装置。
【請求項４】
前記基準値と、前記記憶手段に記憶されている閾値を設定するために用いた前回の基準値とを比較して一定値以上増減しているか否かを判定する判定手段を備え、この判定手段によって一定値以上増減していることが判定された場合には、前記設定手段によって前記基準値と前記前回の基準値とに基づいて閾値を設定することを特徴とする請求項１記載のパーフォレーション検出装置。
【請求項５】
前記基準値と、前記記憶手段に記憶されている閾値を設定するために用いた前回の基準値とを比較して一定値以上増減しているか否かを判定する判定手段を備え、この判定手段によって一定値以上増減していないと判定された場合には、前記設定手段によって前記基準値と前記前回の基準値とに基づいて閾値を設定することを特徴とする請求項１記載のパーフォレーション検出装置。
【請求項６】
前記基準値と、前記記憶手段に記憶されている閾値を設定するために用いた前回の基準値とを比較して、この比較結果が予め設定された増加又は減少と一致するか否かを判定する判定手段を備え、前記判定手段によって比較結果が設定された増加又は減少と一致すると判定された場合には、前記設定手段によって前記基準値と前記前回の基準値とに基づいて閾値を設定することを特徴とする請求項１記載のパーフォレーション検出装置。
【請求項７】
前記基準値と前記前回の基準値との比較結果が増加又は減少する場合に予めそれぞれ重み付けをしておき、前記判定手段によって一定値以上増減したことが判定され場合に、前記設定手段は前記基準値と前記前回の基準値とに基づき、かつ前記重み付けに応じて閾値を設定することを特徴とする請求項４または５記載のパーフォレーション検出装置。
【発明の詳細な説明】
【技術分野】
【０００１】
本発明は、フイルム給送を制御するためにカメラに組み込まれるパーフォレーション検出装置に関するものである。
【背景技術】
【０００２】
カメラのフィルム給送量を制御する装置として、投光素子及び受光素子からなる光センサー等を使用して、フイルムに形成されているパーフォレーションの孔数を検出するパーフォレーション検出装置がある。このパーフォレーション検出装置では、パーフォレーションの通過部に投光素子から光を投射させ、その反射光又は透過光を受光素子で検出している。そして、受光量に応じた受光信号の変化と予め固定された閾値とを比較してパーフォレーションの通過個数を検出している。
【０００３】
また、パーフォレーションの孔数を確実に検出するために、フイルムローディング時に検出信号の最大値と最小値を求め、この最大値と最小値の範囲内で基準値を設定してパーフォレーションの検出を行っている（特許文献１参照）。また、フイルムローディング時に光電素子による受光出力の平均値を求め、この平均値を基準値として出力信号レベルの比較を行うことで、パーフォレーションの孔数を計数している（特許文献２参照）。また、受光素子による受光出力検出レベルが最適化となるように、投光素子の投光用駆動電流を変更している（特許文献３参照）。また、基準値を求める処理をフイルムを装填してローディングする前や、撮影後の１コマ送り前に行うものもある。
【０００４】
【特許文献１】特開平５−８８２４４号公報
【特許文献２】特開平５−１０７６１６号公報
【特許文献３】特開平７−５５３３号公報
【発明の開示】
【発明が解決しようとする課題】
【０００５】
しかしながら、上記したように予め閾値を固定してしまうと、センサなどの光電素子の経年変化や感度劣化、反射面の経時変化等によって検出レベルが低下したときにパーフォレーションを検出できなくなる。また、反射型の光電素子ではフイルム面での反射出力は、フイルムの種類によって様々な値を取るのでパーフォレーションを検出する閾値は、ある程度の精度を持った最適値にしなければならない。また、特許文献１及び２では、フイルムローディング時に基準値を設定するので設定処理が複雑になる。更に、検出信号の最大値、最小値や基準値の設定をフイルムの移動中に行うと正確な値が検出できない。特許文献３では、受光素子による検出レベルが一定レベル以上となるように、新たに投光用駆動電流を制御するための回路を設ける必要がある。また、基準値を求める処理を、フイルムを装填してローディングする前に行ったり、撮影後の１コマ送り前に行う場合では、フイルムが光電素子上に一部掛かる場合があるために正確な基準値が測定できないという問題もある。
【０００６】
本発明は、上記問題点を解決するためのものであり、パーフォレーションの孔数を検出ために信頼性の高い閾値設定を容易に行うことのできるパーフォレーション検出装置を提供することを目的とする。
【課題を解決するための手段】
【０００７】
本発明のパーフォレーション検出装置は、フィルムのパーフォレーション通過部に光を投射する投光素子と、その反射光又は透過光を受光する受光素子と、パーフォレーションの有無の判断基準となる閾値を記憶する記憶手段とを備え、前記受光素子からの受光信号の変化と閾値の比較によってパーフォレーションの通過個数を検出するパーフォレーション検出装置において、フイルムがパトローネに全て巻き戻された際に、投光素子及び受光素子上にフイルムが無い時の基準値として受光レベルの検出を行い、この検出された基準値に基づいて閾値を設定する設定手段と、前記記憶手段に記憶されている閾値を前記設定手段によって設定された閾値に更新する更新手段とを備え、新たにパトローネが装填された場合に、前記記憶手段から閾値を読み出してパーフォレーションの通過個数を検出するものである。
【０００８】
また、前記基準値が、予め設定された所定範囲に含まれるか否かを判定する判定手段を備え、この判定手段によって前記基準値が所定範囲に含まれないと判定された場合には、前記設定手段によって前記基準値に基づいて閾値を設定することが好ましい。また、前記基準値が、予め設定された所定範囲に含まれるか否かを判定する判定手段を備え、前記判定手段によって前記基準値が前記所定範囲に含まれると判定された場合には、前記設定手段によって前記基準値に基づいて閾値を設定することが好ましい。
【０００９】
また、前記基準値と、前記記憶手段に記憶されている閾値を設定するために用いた前回の基準値とを比較して一定値以上増減しているか否かを判定する判定手段を備え、この判定手段によって一定値以上増減していることが判定された場合には、前記設定手段によって前記基準値と前記前回の基準値とに基づいて閾値を設定することが好ましい。また、前記基準値と、前回の基準値とを比較して一定値以上増減しているか否かを判定する判定手段を備え、この判定手段によって一定値以上増減していないと判定された場合には、前記設定手段によって前記基準値と前記前回の基準値とに基づいて閾値を設定することが好ましい。また、前記基準値と、前回の基準値とを比較して、この比較結果が予め設定された増加又は減少と一致するか否かを判定する判定手段を備え、前記判定手段によって比較結果が設定された増加又は減少と一致すると判定された場合には、前記設定手段によって前記基準値と前記前回の基準値とに基づいて閾値を設定することが好ましい。さらに、前記基準値と前記前回の基準値との比較結果が増加または減少する場合に予めそれぞれ重み付けをしておき、前記設定手段は前記基準値と前記前回の基準値とに基づき、かつ前記重み付けに応じて閾値を設定することが好ましい。
【発明の効果】
【００１０】
本発明によれば、フイルムがパトローネに全て巻き戻された際に、投光素子及び受光素子上にフイルムが無い時の基準値として受光レベルの検出を行い、この検出された基準値に基づいて閾値を設定する設定手段と、記憶手段に記憶されている閾値を設定手段によって設定された閾値に更新する更新手段とを備え、新たにパトローネが装填された場合に、記憶手段から閾値を読み出してパーフォレーションの通過個数を検出したので、フイルムが無い時の正確な受光レベルの検出と閾値の設定処理をシンプルに行うことができ、投光素子及び受光素子の経年変化や感度劣化などによるパーフォレーションの検出不良を防止することができる。
【００１１】
また、検出された基準値と予め設定されている所定範囲または前回の基準値と今回の基準値を比較して判定する判定手段を設けたので、誤った閾値の設定を防止することができて、パーフォレーションを検出する際の信頼性が向上した。
【発明を実施するための最良の形態】
【００１２】
図１は本発明のパーフォレーション検出装置を備えたカメラの一例を示すものである。写真カメラ２には、パトローネの装填室５、フイルム巻取室６が設けられている。装填室５にはパトローネ７が装填され、また、フイルム巻取室６にはフイルム９を巻き取るスプール１０が設けられている。装填室５とフイルム巻取室６の間には、アパーチャ１１が形成され、フイルム９に対する露光範囲を決めると共に裏蓋１２に弾性的に取り付けられたフイルム厚板１３と共同し、フイルム９を光軸方向で位置決めしている。
【００１３】
図２に示すように、フイルム給送用のモータ１５はスプール１０中に収容されている。モータ１５はモータドライバ１６を介してシステムコントローラ１８に接続されており、その回動と回動方向が制御される。モータ１５の回動は給送伝達機構１９を介してスプール１０又はパトローネ７に係合するフォーク２０に伝達され、モータ１５はフイルム９をスプール１０に巻き取るときには正転駆動し、また、パトローネ７に巻き戻すときは逆転駆動する。
【００１４】
フイルム９の上下の側縁には、アパーチャ１１によって規定される撮影コマごとに対応したパーフォレーション２１が開設されている。図に示すように、パーフォレーション２１の通過部上には、パーフォレーション２１を検出する反射型のフォトセンサ２２が配置されている。反射型のフォトセンサ２２は発光ダイオードを使用した投光器とフォトトランジスタを使用した受光器からなり、投光器はフイルム９の下側のパーフォレーション２１が通過する移動域に赤外線光を投射し、受光器はフイルム面で反射した赤外線光を受光して、光電変換したアナログ信号の受光信号を出力する。
【００１５】
フォトセンサ２２の投光器から投射された赤外線光は、パーフォレーション２１では大部分が透過するために受光器に反射される赤外線光は少なくなる。そのため、受光器のフォトトランジスタから出力される受光信号の受光レベルは低い。また、フイルム９に赤外線光が反射すると大部分が受光器で受光されるため、フォトトランジスタから出力される受光信号の受光レベルは高い。これにより、フイルム９に開設されたパーフォレーション２１の進行に伴って、受光信号のレベルは周期的に変動する。
【００１６】
パーフォレーション検出部２６は、フォトセンサ２２から受信信号が送られてパーフォレーション２１の検出が行われる。カウンタ３０は、パーフォレーション検出部２６からの検出信号を１コマ分検出するとシステムコントローラ１８に信号を送る。システムコントローラ１８は写真カメラ２の各部を制御しており、カウンタ３０からの信号を受けてモータ１５を停止させる。ＲＯＭ２２は、カメラの各部を制御する制御プログラムや設定情報が格納されている他、写真カメラ２に初めてパトローネ７が装填された際に、フイルム９の巻き取り時に使用する初期閾値が格納されている。
【００１７】
図３（Ａ）に示すように、フォトセンサ２２からの検出信号２５はパーフォレーション検出部２６に送られて、パーフォレーション２１の検出が行われる。カメラ２に初めてパトローネ７を装填する際は、ＲＯＭ２７内に予め設定されている初期閾値がパーフォレーション検出部２６に送られる。パーフォレーション検出部２６では、この初期閾値と受光信号２５に基づいて、アナログ信号をパルス信号に変換する。カウンタ３０ではこのパルス信号を計数してパーフォレーション２１の通過個数を検出する。初期閾値は受光信号２５が立ち上がり及び立ち下がり時に、それぞれ異なる閾値レベルＶｎｈ、Ｖｎｌを横切るのを検出する。カウンタ３０は受光信号２５が立ち上がり時に閾値レベルＶｎｈを横切る度毎に計数しており、１コマ分のパーフォレーション２１の通過個数が検出されるとシステムコントローラ１８に信号が送られ、フイルム９の巻き取りを停止する。なお、このようなヒステリシスを与えることにより、ノイズやその他外乱を受けた場合に誤った計数が行われるのを防止している。  
【００１８】
上記のように、撮影毎にパーフォレーション２１の通過個数が計数されてフイルム９の巻き取りが全コマ分終了すると、システムコントローラ１８はモータ１５を逆転駆動させて、スプール１０に巻き取られたフイルム９を全てパトローネ７に巻き戻す。フイルム９の巻き戻し時には、パーフォレーション検出部２６からパーフォレーション２１のパルス信号がシステムコントローラ１８に送られる。システムコントローラ１８はパルス信号を連続的に検出することによって、フイルム９が全て巻き戻されたか否かを確認している。システムコントローラ１８はパルス信号が検出されなくなってからも一定時間、モータ１５を逆転駆動させておくことでフイルム９の巻戻しを確実に行っている。なお、パトローネ７にフイルム９を確実に巻き戻すために、パーフォレーション２１が検出されなくなってから一定時間、モータ１５を逆転駆動させたが、パトローネ７の近傍にフイルム９の有無を検出するセンサを設けてもよい。
【００１９】
一定時間経過後にモータ１５の逆転駆動が停止されると、フォトセンサ２２上にフイルム９が無い時の受光レベルが検出される。システムコントローラ１８は検出された受光レベルをフイルム無し時の基準値としてＥＥＰＲＯＭ３１に記録する。さらに、システムコントローラ１８には設定部１８ａが設けられており、この設定部１８ａは基準値に基づいて、立ち上がり時と立下り時の閾値Ｖｈ、Ｖｌの設定を行い、ＥＥＰＲＯＭ３１に記録する。
【００２０】
新たにパトローネ７が写真カメラ２に装填されて裏蓋１２が閉められると、システムコントローラ１８はＥＥＰＲＯＭ３１から閾値Ｖｈ、Ｖｌをパーフォレーション検出部２６に読み出す。そして、フイルム９の巻き取りが開始されると、フォトセンサ２２からの受光信号３５と閾値Ｖｈ、Ｖｌとに基づいてパーフォレーション２１の検出を行い、カウンタ３０はパーフォレーション２１の通過個数を計数してフイルム送りを制御することで１コマ目がアパーチャ１１にセットされる。そして、撮影が行われるとフォトセンサ２２からの受光信号３５と閾値Ｖｈ、Ｖｌとに基づいてパーフォレーション２１の検出を行い、カウンタ３０で通過個数を計数して１コマ分のフイルム９の巻き取りを行う。
【００２１】
全ての撮影が終了すると、フイルム９がパトローネ７に自動的に巻き戻される。フイルム９が全てパトローネ７に巻き戻されると、再びフイルム無し時の基準値が検出される。この基準値は新たにＥＥＰＲＯＭ３１に記録されるとともに、設定部１８ａによって基準値に基づいた閾値が設定される。すると、システムコントローラ１８に設けられた更新部１８ｂによって、ＥＥＰＲＯＭ３１に記憶されている閾値が、新たに設定された閾値に更新されて記憶される。
【００２２】
フイルム無し時の基準値の検出と、閾値の設定及びＥＥＰＲＯＭ３１への更新は、写真カメラ２に装填されたフイルム９が全てパトローネ７に巻き戻される度毎に行われる。なお、全コマ撮影が終了して、全てのフイルム９がパトローネ７に巻き戻された後でフイルム無し時の基準値となる受光レベルの検出を行ったが、撮影の途中で強制的にフイルム９の巻き戻し操作が行われた場合でも、フイルム９が全てパトローネ７に巻き戻された後に、フイルム無し時の基準値が検出され、閾値の設定及び更新が行われる。
【００２３】
次に本実施形態の作用について図４を用いて説明する。初めてパトローネ７が装填される場合には、予め設定された初期閾値とフォトセンサ２２の受光信号にに基づいてパーフォレーション２１の検出が行われ、カウンタ３０によってパーフォレーション２１の通過個数が計数されて、フイルムの巻き取りが行われる。
【００２４】
全コマ撮影が終了してフイルム９が全てパトローネ７に巻き戻されると、フォトセンサ２２によってフイルム無し時の基準値となる受光レベルが検出される。検出された基準値はＥＥＰＲＯＭ３１に記憶される。さらに、基準値に基づいて閾値が設定され、ＥＥＰＲＯＭ３１に記憶される。装填室５に新しいパトローネ７が装填されると、ＥＥＰＲＯＭ３１に記憶した閾値が読み出される。フイルム９の巻き取り時には、閾値と受光信号とに基づいてパーフォレーション２１を検出する。カウンタ３０でパーフォレーション２１の１コマ分の通過個数が計数されるのでフイルム９の巻き取りが制御させる。
【００２５】
このフイルム無し時の基準値の検出及び閾値の設定は、フイルム９がパトローネ７に全て巻き戻される毎に行われ、新たに設定された閾値は、ＥＥＰＲＯＭ３１に更新して記憶される。そして、新たなパトローネ７が装填された際にＥＥＰＲＯＭ３１から閾値が読み出されてパーフォレーション２１の検出のために使用される。したがって、フイルム９をパトローネ７に全て巻き戻した後のカメラ動作が終了した安定した状態で、フイルム無し時の基準値となる受光レベルの検出及び基準値に基づいた閾値の設定処理を行ったので、基準値の検出及び閾値の設定処理が容易になると共に、フォトセンサ２２の感度劣化などによる影響を受けずにパーフォレーション２１を検出できる。
【００２６】
上記実施形態では、フイルム９が全てパトローネ７に巻き戻された後に、フイルム無し時の基準値となる受光レベルを検出し、この基準値に基づいて閾値の設定及び更新を行ったが、図５に示すように、パトローネが入れ替えられた後で、新たに検出されたフイルム無し時の基準値が予め設定された所定範囲に含まれるか否かを判定する判定部１８ｃをシステムコントローラ１８に設けて、判定部１８ｃの判定結果によってＥＥＰＲＯＭ３１に記憶された閾値を更新させてもよい。
【００２７】
図６にも示すように、写真カメラ２に装填されたフイルム９の撮影が終了してフイルム９が全てパトローネ７に巻き戻されると、フイルム無し時の基準値となる受光レベルを検出する。そして、検出された基準値は判定部１８ｃに送られると共に、予め設定された所定範囲もＲＯＭ２７から判定部１８ｃに送られる。判定部１８ｃでは基準値が所定範囲に含まれか否かの判定が行われる。基準値が所定範囲に含まれていない場合には、設定部１８ａは基準値に基づいて閾値を設定し、更新部１８ｂはＥＥＰＲＯＭ３１に記憶されている閾値を新たに設定された閾値に更新させる。更新された閾値は新しいパトローネ７がカメラ２に装填されると、パーフォレーション検出部２６に読み出されて、フイルム９を巻き取る際のパーフォレーション２１の検出に使用される。また、基準値が所定範囲に含まれてる場合は、閾値の大きな変更が無いために更新は行わない。
【００２８】
なお、上記実施形態では、基準値が所定範囲に含まれていないことが判定された場合に閾値を変更する例を説明したが、所定範囲を基準値の適正範囲に設定しておき、基準値が所定範囲に含まれたことが判定部３７で判定された場合に、基準値に基づいて閾値を設定し、ＥＥＰＲＯＭ３１に閾値の更新をさせてもよい。
【００２９】
上記実施形態では、フイルム無し時の基準値が予め設定された所定範囲に含まれるか否かを判定する判定部１８ｃをシステムコントローラ１８に設けて、判定部１８ｃの判定結果によって閾値の変更を行ったが、これに代えて、フイルム９がパトローネ７に全て巻き戻された際に検出された今回の基準値と、ＥＥＰＲＯＭ３１に記憶されている閾値を設定するために用いた前回の基準値とを比較して、一定値以上増減しているか否かの判定を図５に示す判定部１８ｃで行い、この判定結果によって閾値を設定、更新をしてもよい。
【００３０】
この場合は、図７に示すように、撮影終了後にフイルム９が全てパトローネ７に巻き戻され、フイルム無し時の受光レベルが検出されると、今回の基準値として判定部１８ｃに送られる。すると、ＥＥＰＲＯＭ３１に記憶されている前回の基準値も判定部１８ｃに送られる。判定部１８ｃでは、前回の基準値と今回の基準値とを比較して一定値以上増加又は減少しているか否かを判定行う。一定値以上増加又は減少していると判定された場合は、設定部１８ａによって今回の基準値と前回の基準値とに基づいて新たに閾値を設定し、更新部１８ｂによってＥＥＰＲＯＭ３１に記憶されている閾値が新たに設定された閾値に更新される。また、判定部１８ｃで一定値以上増加又は減少していないことが判定されると、閾値の設定及び更新は行われない。
【００３１】
判定部１８ｃで一定値以上増加又は減少していると判定された場合には、設定部１８ａは今回の基準値と前回の基準値を考慮した以下の数１に基づいて閾値が設定される。
【００３２】
【数１】
2005189312.tif 000003
【００３３】
ここで、数１中の示す文字は以下の通りである。
Ｖｈ：新たに設定される立ち上がり時の閾値
Ｖｌ：新たに設定される立ち下がり時の閾値
Ｖｂｈ：前回使用された立ち上がり時の閾値  
Ｖｂｌ：前回使用された立ち下がり時の閾値
ΔＡＤ：前回の基準値と今回の基準値の変化量
【００３４】
または、前回の基準値に対して今回の基準値が、一定値以上増加又は減少した場合に予め重み付けをしておき、以下の数２に基づいて閾値の設定を行ってもよい。
【００３５】
【数２】
2005189312.tif 000004
【００３６】
ここで、数２中の示す文字は以下の通りである。
Ｖｎｈ：予め設定されている立ち上がり時の閾値
Ｖｂｌ：予め設定されている立ち下がり時の閾値
Ｖｂｈ：前回使用された立ち上がり時の閾値  
Ｖｂｌ：前回使用された立ち下がり時の閾値
ＡＤ：今回の基準値
ΔＡＤ：前回の基準値と今回の基準値の変化量
【００３７】
この数２では、前回の基準値と今回の基準値とを比較した際に一定値以上増加している場合の重み付けが高く設定されており、閾値の変化量が大きくなっている。また、一定値以上減少した場合の重み付けは低く設定されており、閾値の変化量は少ない。
【００３８】
なお、上記実施形態では、前回の基準値と今回の基準値とを比較して一定値以上増加又は減少していると判定された場合に閾値の変更を行ったが、判定部１８ｃで一定値以上増加又は減少していないことが判定された場合に、閾値の設定及び更新を行ってもよい。
【００３９】
上記実施形態では、前回の基準値と今回の基準値とを比較して一定値以上増加又は減少していることを判定して閾値の変更を行ったが、これに代えて、前回の基準値と今回の基準値とを比較した比較結果が、予め設定された増加又は減少と一致するか否かを判定部１８ｃで判定させて予め設定された増加又は減少と比較結果が一致した場合に閾値の設定及び更新を行ってもよい。
【００４０】
図８に示すように、例えば予め前回の基準値と今回の基準値を比較した際に、比較結果が増加すると設定した場合では、フイルム９が全て巻き戻された後に検出された今回の基準値が判定部１８ｃに送られる。判定部１８ｃではＥＥＰＲＯＭ３１に記憶されている前回の基準値と今回の基準値が比較されて、比較結果が増加したか又は減少したかが検出される。そして、この比較結果が予め設定されている増加と一致するか否かの判定を行う。比較結果が増加している場合には、上記の数１に基づいて閾値を設定し、ＥＥＰＲＯＭ３１に記憶されている閾値を更新する。比較結果が減少している場合は、設定された増加と一致しないので閾値の設定及び更新が禁止される。
【００４１】
上記各実施形態では、フイルム無し時の基準値となる受光レベルを検出し、この基準値に基づいて閾値を設定するだけではなく、基準値を所定範囲や前回の基準値と判定してから閾値の設定及び更新を行っているので、誤った閾値設定を防止することができる。
【図面の簡単な説明】
【００４２】
【図１】本発明のパーフォレーション装置を備えたカメラの一例を示す概略図である。
【図２】本発明のパーフォレーション検出装置を示す概略図である。
【図３】パーフォレーションの検出を説明するタイミングチャートである。
【図４】フイルム無し時の基準値に基づいた閾値設定を示すフローチャートである。
【図５】パーフォレーション検出装置に判定部を設けたことを示す概略図である。
【図６】基準値と所定値を判定して閾値変更を行うことを示すフローチャートである。
【図７】今回の基準値と前回の基準値を判定して閾値変更を行うことを示すフローチャートである。
【図８】前回の基準値と今回の基準値の変化量の増減を予想して閾値変更を行うことを示すフローチャートである。
【符号の説明】
【００４３】
７  パトローネ
９  フイルム
１８  システムコントローラ
１８ａ設定部
１８ｂ更新部
１８ｃ判定部
２１  パーフォレーション
２２  フォトセンサ
２６  パーフォレーション検出部
３０  カウンタ
３１  ＥＥＰＲＯＭ
【図１】
2005189312.tif 000005
【図２】
2005189312.tif 000006
【図３】
2005189312.tif 000007
【図４】
2005189312.tif 000008
【図５】
2005189312.tif 000009
【図６】
2005189312.tif 000010
【図７】
2005189312.tif 000011
【図８】
2005189312.tif 000012